(57)【要約】【課題】漏水防止効果の高いフィルタ構造を備えた洗濯機を提供する。【解決手段】衣類を収容する洗濯兼脱水槽と、この洗濯兼脱水槽を内包する外槽と、この外槽内に溜まった水を排出するための排水路と、この排水路の途中に配置されて水に混入するリントを捕集するリント捕集装置を備え、このリント捕集装置が、前記排水路を通って来た水の入水口および出水口が形成されたフィルタケースと、このフィルタケースに挿入されて水に混入するリントを濾過するフィルタが形成されたフィルタ体と、このフィルタ体の端部に設けられて前記フィルタ体を出し入れする際の把持部が形成された蓋体を有する洗濯機において、前記フィルタ体と前記蓋体とで形成される溝に、漏水を防止する環状のシール部材を設けた。【選択図】  図１０
2012061120.tif 000002
【特許請求の範囲】
【請求項１】
衣類を収容する洗濯兼脱水槽と、この洗濯兼脱水槽を内包する外槽と、この外槽内に溜まった水を排出するための排水路と、この排水路の途中に配置されて水に混入するリントを捕集するリント捕集装置を備え、このリント捕集装置が、前記排水路を通って来た水の入水口および出水口が形成されたフィルタケースと、このフィルタケースに挿入されて水に混入するリントを濾過するフィルタが形成されたフィルタ体と、このフィルタ体の端部に設けられて前記フィルタ体を出し入れする際の把持部が形成された蓋体を有する洗濯機において、前記フィルタ体と前記蓋体とで形成される溝に、漏水を防止する環状のシール部材が設けられていることを特徴とする洗濯機。
【請求項２】
請求項１において、前記シール部材は、前記フィルタ体および前記蓋体によって挟圧されていることを特徴とする洗濯機。
【請求項３】
請求項２において、前記シール部材の内周面が前記フィルタ体の外周面と当接し、前記シール部材の外周面が前記フィルタケースの内周面と当接し、前記シール部材の側面が前記フィルタ体および前記蓋体と当接していることを特徴とする洗濯機。
【発明の詳細な説明】
【技術分野】
【０００１】
本発明は、洗濯水に含まれるリントを捕集する装置を有する洗濯機に関する。
【背景技術】
【０００２】
従来の洗濯機においては、洗濯兼脱水槽から排水される水に含まれるリントを捕集するためのリント捕集装置を備えたものがある。また、近年の洗濯機においては、節水性能向上のために洗濯兼脱水槽内の水を、循環装置を用いて衣類に洗濯水を散布するものがあり、このような洗濯機では、循環配管経路内にリント捕集装置を備え、排水用のリント捕集装置とも兼用している場合がある。
【０００３】
図１３に従来のリント捕集装置の断面を示す。このリント捕集装置は、フィルタ体５１と蓋体５２が嵌合ツメ５１ａ，５２ａにより装着されて一体化したフィルタ挿入ユニット５０と、このフィルタ挿入ユニット５０が嵌め込まれるフィルタケースからなる。また、フィルタ体５１の溝５１ｂには、シール部材５３が装着されている。更に、フィルタケース２３と蓋体５２がネジ部２３ｃ，５２ｂにより嵌合摺動する構造となっており、蓋体５２の摺動によってフィルタ挿入ユニット５０とフィルタケース２３の着脱が可能である。
【０００４】
ここで、フィルタ挿入ユニット５０とフィルタケース２３の間の漏水防止構造としては、フィルタ体の径方向でのシール構造と、軸方向でのシール構造等がある。
【０００５】
径方向でのシール構造としては、蓋体５２がフィルタケース２３と装着された状態において、シール部材５３がフィルタ体シール面５１ｃとフィルタケースシール面２３ｄ間で潰されることにより密閉されており、フィルタケース２３内からの漏水を防止する構造となっている（図１４）。
【０００６】
軸方向でのシール構造としては、蓋体５２がフィルタケース２３と装着された状態において、シール部材５３がフィルタ体シール面５１ｄとフィルタケースシール面２３ｅ間で潰されることにより密閉されており、フィルタケース２３内からの漏水を防止する構造となっている（図１５）。
【０００７】
これらに関する技術は、例えば、下記特許文献１，２に記載されている。
【先行技術文献】
【特許文献】
【０００８】
【特許文献１】特開２００１−３２１５９６号公報
【特許文献２】特開２００６−２５５３２６号公報
【発明の概要】
【発明が解決しようとする課題】
【０００９】
従来のリント捕集装置の場合、シール部材５３がフィルタ挿入ユニット５０から脱落するのを防止するため、シール部材５３の取付部であるフィルタ体５１に、フィルタ体溝形状５１ｂを設けている。ところが、このフィルタ体５１は、その成型金型の構造上、シール面５１ｃ，５１ｄに成型金型の合わせ面（Ｐ．Ｌ面）が必然的に生じる構造となっている（図１２）。その結果、図１６に示すように、フィルタ体Ｐ．Ｌ面段差５１ｅが発生してしまい、フィルタ体Ｐ．Ｌ面段差５１ｅの大小によっては、シール部材５３が段差形状に追従することができず、漏水が起こる可能性がある。また、成型金型の経年劣化・使用劣化等に伴う段差の増長によっても、同様に漏水が起こる可能性がある。このようにしてフィルタケース２３内に流入した洗濯水は、シール部材５３の取付部から機外へ漏れ出すと、洗濯機の周辺を水で汚してしまう。
【００１０】
本発明の目的は、漏水防止効果の高いリント捕集装置を備えた洗濯機を提供することにある。
【課題を解決するための手段】
【００１１】
上記目的を達成するために、本発明は、衣類を収容する洗濯兼脱水槽と、この洗濯兼脱水槽を内包する外槽と、この外槽内に溜まった水を排出するための排水路と、この排水路の途中に配置されて水に混入するリントを捕集するリント捕集装置を備え、このリント捕集装置が、前記排水路を通って来た水の入水口および出水口が形成されたフィルタケースと、このフィルタケースに挿入されて水に混入するリントを濾過するフィルタが形成されたフィルタ体と、このフィルタ体の端部に設けられて前記フィルタ体を出し入れする際の把持部が形成された蓋体を有する洗濯機において、前記フィルタ体と前記蓋体とで形成される溝に、漏水を防止する環状のシール部材を設けた。
【発明の効果】
【００１２】
本発明によれば、漏水防止効果の高いリント捕集装置を備えた洗濯機を提供できる。
【図面の簡単な説明】
【００１３】
【図１】本発明のドラム式洗濯機を示す外観図である。
【図２】本発明のドラム式洗濯機の概略構造を側板を外して示す側面図である。
【図３】本発明のドラム式洗濯機の概略構造を上カバーを外して示す上面図である。
【図４】図２における外槽及び洗濯兼脱水槽のＡ−Ａ断面図である。
【図５】外槽及び洗濯兼脱水槽の底部を示す縦断面図である。
【図６】図５における外槽及び洗濯兼脱水槽のＢ−Ｂ断面図である。
【図７】蒸気弁の縦断面図である。
【図８】循環ポンプ及びフィルタ，配管系を示す斜視図である。
【図９】循環ポンプ及びフィルタケースの配管接続部を示す上面図である。
【図１０】図９におけるフィルタケースとフィルタ挿入ユニットのＣ−Ｃ断面図である。
【図１１】本発明のフィルタ体の成型金型構造の概略図である。
【図１２】従来のフィルタ体の成型金型の概略図である。
【図１３】従来のフィルタケースおよびフィルタ挿入ユニットの構造の概略図である。
【図１４】従来のフィルタケースおよびフィルタ体の径方向シール構造の概略図である。
【図１５】従来のフィルタケースおよびフィルタ体の軸方向シール構造の概略図である。
【図１６】従来のフィルタ体のＰ．Ｌ面段差の概略図である。
【発明を実施するための形態】
【００１４】
以下、本発明の実施例について、図面を用いて説明する。図１は、本発明の実施例に係るドラム式洗濯乾燥機の外観図である。図２は内部の構造を示す側面図、図３は内部の構造を示す平面図（上補強材３６の一部を切断して示している）、図４は図２の２点鎖線で切断し矢印Ａ−Ａから見た断面図、図５は洗濯槽底部の断面図、図６は図５中２点鎖線で切断し矢印Ｂ−Ｂからみた断面図である。
【００１５】
１は、外郭を構成する筐体である。筐体１は、ベース１ｈの上に取り付けられており、左右の側板１ａ，１ｂ，前面カバー１ｃ，背面カバー１ｄ，上面カバー１ｅ，下部前面カバー１ｆで構成されている。左右の側板１ａ，１ｂは、コの字型の上補強材３６，前補強材３７，後補強材（図示せず）で結合しており、ベース１ｈを含めて箱状の筐体１を形成し、筐体として十分な強度を有している。
【００１６】
９は、前面カバー１ｃの略中央に設けた洗濯物を出し入れするための投入口を塞ぐドアで、前補強材３７に設けたヒンジ９ｃで開閉可能に支持されている。ドア開放ボタン９ｄを押すことロック機構（図示せず）が外れて開き、ドアを前面カバー１ｃに押し付けることでロックされて閉じる。前補強材３７は、後述する外槽の開口部と同心に、洗濯物を出し入れするための円形の開口部を有している。
【００１７】
６は、筐体１の上部中央に設けた操作パネルで、電源スイッチ３９，操作ボタン１２，１３，表示器１４を備える。操作パネル６は、筐体１下部に設けた制御装置３８に電気的に接続している。
【００１８】
１９は、筐体１内の上部左側に設けた上部および前部に開口を有する洗剤容器で、前部開口１９ｂから引き出し式の洗剤トレイ７を装着する。洗剤類を入れる場合は、洗剤トレイ７を図１中２点鎖線で示すように引き出す。洗剤容器１９は、筐体１の上補強材３６に固定されている。また、洗剤容器１９の左側面、やや後方に出水口１９ａを有している。従って、洗剤容器１９底面は出水口１９ａの位置が最も低くなるようなすり鉢状に形成されている。
【００１９】
洗剤容器１９の後ろ側には、給水電磁弁１６や風呂水給水ポンプ１７，水位センサ３４など給水に関連する部品を設けてある。洗剤容器１９の上部開口１９ｃには、給水電磁弁１６を取り付けた給水ユニット１５を備える。上面カバー１ｅには、水道栓からの給水ホース接続口１６ａ，風呂の残り湯の吸水ホース接続口１７ａが設けてある。
【００２０】
３は、回転可能に支持された円筒状の洗濯兼脱水槽（回転ドラム）であり、その外周壁および底壁に通水および通風のための多数の貫通孔３ｂを有している。更に、この洗濯兼脱水槽３は、その前側端面に洗濯物を出し入れするための開口部３ａを設けてあり、内部に衣類を収容できるようになっている。また、開口部３ａの外側には洗濯兼脱水槽３と一体の流体バランサ３ｃを備えている。そして、洗濯兼脱水槽３の回転中心軸は、水平または開口部側が高くなるように傾斜している。
【００２１】
２は、円筒状の外槽であり、洗濯兼脱水槽３を同軸上に内包し、前面は開口し、後側端面の外側中央にモータ４を取り付ける。モータ４の回転軸は、外槽２を貫通し、洗濯兼脱水槽３と結合している。前面の開口部には外槽カバーを設け、外槽２内への貯水を可能としている。外槽２は、下側をベース１ｈに固定されたダンパ５で防振支持されている。また、外槽２の上側は上部補強部材３６に取り付けた補助ばね３３で支持されており、外槽２の前後方向へ倒れを防ぐ。外槽カバーの前側中央には、洗濯物を出し入れするための開口部２ｃを有している。本開口部２ｃと前補強材３７に設けた開口部は、ゴム製のベローズ１０で接続しており、ドア９を閉じることで外槽２を水封する。
【００２２】
外槽２の左側外側面後部には、外槽２内へ水や洗剤類を供給する給水口２ａを設けてある。給水口２ａと洗剤容器１９の出水口１９ａは、ゴム製の蛇腹管Ａ２０で接続する。給水口２ａは蒸気弁１１を内蔵している。
【００２３】
図７は蒸気弁１１の詳細を示す断面図である。蒸気弁１１は、略円筒形状で、外径部に外槽２の給水口２ａに装着するための庇部を有している。内径部は上流側内径φｄ１より下流側内径φｄ２の方が大きく、両内径部はリング状の傾斜面１１ａで接続されている。傾斜面１１ａは洗濯兼脱水槽３側が高く外槽２の外周側が低くなるように形成している。傾斜面１１ａの最上部には内側に突出した突出部１１ｂを有しており、突出部１１ｂには複数本のピン１１ｃを設けてある。傾斜面１１ａには、傾斜面１１ａを塞ぐよう、楕円状のシート１１ｄを装着している。シート１１ｄの長軸側端部にはピン１１ｃと同じ配置の孔を設けてあり、この孔をピン１１ｃに入れ加締めることでシート１１ｄを傾斜面１１ａに固定する。従って、シート１１ｄは片持ち支持で傾斜面１１ａに固定されている。
【００２４】
シート１１ｄは、可撓性のゴムや合成樹脂製である。シート１１ｄに上側から力が作用すると（給水時）、図７中２点鎖線で示すように変形し蒸気弁１１は開となり水が流れる。一方、乾燥時のように外槽内の圧力が洗剤容器１９内の圧力（大気圧）より高いとシート１１ｄに下側から力が作用し、シート１１ｄは傾斜面１１ｃに押しつけられ、蒸気弁１１は閉となる。
【００２５】
外槽２の底面には、凹状の窪み部２ｄが軸方向に設けてある。窪み部２ｄの底面は、前側から後側に下がる傾斜面になっており、窪み部２ｄの後ろ側最下部に排水口２１が設けてある。排水口２１には排水ホース２２を接続する。窪み部２ｄの前側には底部循環水の流入口１８が設けてある。また、窪み部２ｄの上部には、窪み部２ｄの幅の略半分を覆うように外槽２外周壁の内周面から連続する隔壁２ｂを有している。隔壁２ｂは洗濯兼脱水槽３の脱水時の回転方向に対して対向する向きに設ける。排水口２１及び流入口１８は、窪み部２ｄの幅方向の中心から洗濯兼脱水槽３の回転方向にずれた位置に設置してある。このため、排水口２１と流入口１８の上部には隔壁２ｂがある。
【００２６】
窪み部２ｄは、脱水時に洗濯兼脱水槽３の回転による遠心力で、貫通孔３ｂから外槽２内周面に出て、洗濯兼脱水槽３の回転方向と同一方向に流れる水を受け止め、排水口２１へ導く。隔壁２ｂは、窪み部２ｄへ入った水が再び外槽２内へ循環しないように堰き止める作用を有する。
【００２７】
外槽２の後部端面の最下部にはエアトラップ３６が設けてあり、チューブ３５で水位センサ３４と接続し、外槽２内の水位を検出する。
【００２８】
外槽２とベース１ｈとのすき間には、循環ポンプ２４，フィルタケース２３，排水弁２５を設けてある。フィルタケース２３は、前側に開口部を有する円筒状で、内部に着脱可能なフィルタ体５１が装着されており、洗濯水中の異物や糸くずを捕集する。フィルタケース２３は、下部前面カバー１ｆに設けた扉１ｇを開け、蓋体５２に形成されたハンドル状の把持部を回すことでフィルタ体５１を容易に着脱できるよう、前側が高くなるように傾斜している。
【００２９】
８は、筐体１の上部右側に設けた引き出し式の乾燥フィルタで、掃除する時にメッシュ式のフィルタ８ａを取り出す。乾燥フィルタ８には、乾燥ダクト２９が接続されている。乾燥ダクト２９は、筐体１の背面内側に設置してあり、外槽２の後部端面下方に設けた吸気口にゴム製の蛇腹管Ｂ２９ａで接続されている。乾燥ダクト２９内には、水冷除湿機構（図示せず）を内蔵しており、給水電磁弁１６ｄから給水ホース３２で、水冷除湿機構へ冷却水を供給する。
【００３０】
２８は、乾燥フィルタ８の後ろ側に設けた送風ファンで、吸気口を乾燥フィルタ８に、吐出口をヒータ（図示せず）が内蔵された温風ダクト３１に接続する。温風ダクト３１は、ゴム製の蛇腹管（図示せず）を介して、外槽２の前部開口部に接続されている。
【００３１】
乾燥運転時に送風ファン２８を運転し、ヒータに通電すると、洗濯兼脱水槽３内に温風が吹き込み、洗濯物を温め水分が蒸発する。高温多湿となった空気は、乾燥ダクト２９に吸い込まれ、水冷除湿機構を流下する冷却水で冷却除湿されて乾いた低温空気となり、フィルタ８ａを通りヒータで再度加熱され、洗濯兼脱水槽３内に吹き込むように循環する。
【００３２】
上述のような洗濯乾燥機において、外槽２内に溜まった水を排出するだけでなく循環にも利用される排水路の途中に配置され、水に混入するリントを捕集するリント捕集装置の構造に関し、図２及び図８〜図１２を用いて説明する。図８は循環ポンプ２４及び配管を示す斜視図、図９は循環ポンプ２４，フィルタケース２３の配管接続部を示す上面図、図１０は図９の２点鎖線部で切断しＣ−Ｃからみた断面図である。
【００３３】
本実施例におけるリント捕集装置は、排水路を通って来た水の入水口２３ａおよび出水口２３ｂが形成されたフィルタケース２３と、フィルタ挿入ユニット５０を有している。ここで、フィルタ挿入ユニット５０は、フィルタケース２３に挿入されて水に混入するリントを濾過するフィルタが形成されたフィルタ体５１と、このフィルタ体５１の端部に設けられてフィルタ体５１を出し入れする際の把持部が形成された蓋体５２を有し、これらが嵌合ツメ５１ａ，５２ａにより装着されて一体化されている。
【００３４】
更に、図９に示す通り、入水口２３ａ，出水口２３ｂは、フィルタケース２３の底部奥側に設けられている。そして、外槽２の排水口２１と入水口２３ａとがホース２２で、排水弁２５と出水口２３ｂとがホース４９で、それぞれ繋がっている。更に、排水弁２５には排水ホース２６が接続されており、洗濯水を機外へ排水する。
【００３５】
また、図１０に示す通り、フィルタケース２３と蓋体５２は、ネジ部２３ｃ，５２ｂで嵌合摺動する構造となっており、摺動させることにより、フィルタケース２３とフィルタ体５１の着脱を行うことが可能である。
【００３６】
一方、フィルタ体５１と蓋体５２は、嵌合ツメ５１ａ，５２ａで嵌合されており、当該２部品を組合せることで、シール部材装着溝５４を形成している。そして、このシール部材装着溝５４に、漏水を防止する環状のシール部材５３を装着することにより、フィルタ体５１からシール部材５３が脱落するのを防止することが可能となっている。
【００３７】
また、フィルタ体５１とフィルタケース２３との間は、ゴムなどの弾性体で成形されたパッキンであるシール部材５３を径方向で圧縮することにより密閉される。ただし、このシール部材５３は、フィルタ体５１だけでなく、蓋体５２によっても挟圧されている。したがって、シール部材５３の内周面はフィルタ体５１の外周面と当接し、シール部材５３の外周面がフィルタケース２３の内周面と当接し、シール部材５３の側面がフィルタ体５１および蓋体５２と当接する。
【００３８】
従来におけるフィルタ体の成型金型構造では、シール部材５３の脱落防止用の溝が、図１２のように、フィルタ体単品で形成されているため、構造上、フィルタ体シール面５１ｃにＰ．Ｌ面ができてしまう。しかしながら、本実施例におけるフィルタ体の成型金型構造では、脱落防止用の溝が、図１１のように、フィルタ体５１と蓋体５２の２部品で形成されているため、フィルタ体シール面５１ｃにＰ．Ｌ面ができてしまうことを回避できる。その結果、漏水防止効果の高いリント捕集装置が実現できる。
【符号の説明】
【００３９】
１  筐体
２  外槽
２ｄ  窪み部
３  洗濯兼脱水槽
４  モータ
６  操作パネル
７  洗剤トレイ
９  ドア
１１  蒸気弁
１６  給水電磁弁
１８  流入口
１９  洗剤容器
１９ａ，２３ｂ  出水口
２０，４０，４１  蛇腹管
２１  排水口
２３  フィルタケース
２３ａ  入水口
２３ｃ，５２ｂ  ネジ部
２３ｄ，２３ｅ  フィルタケースシール面
２４  循環ポンプ
４４，４５  吐出口
５０  フィルタ挿入ユニット
５１  フィルタ体
５１ｂ  溝形状
５１ｃ，５１ｄ  フィルタ体シール面
５１ｅ  フィルタ体Ｐ．Ｌ面段差
５２  蓋体
５３  シール部材
５４  シール部材装着溝
【図１】
2012061120.tif 000003
【図２】
2012061120.tif 000004
【図３】
2012061120.tif 000005
【図４】
2012061120.tif 000006
【図５】
2012061120.tif 000007
【図６】
2012061120.tif 000008
【図７】
2012061120.tif 000009
【図８】
2012061120.tif 000010
【図９】
2012061120.tif 000011
【図１０】
2012061120.tif 000012
【図１１】
2012061120.tif 000013
【図１２】
2012061120.tif 000014
【図１３】
2012061120.tif 000015
【図１４】
2012061120.tif 000016
【図１５】
2012061120.tif 000017
【図１６】
2012061120.tif 000018